(57)【特許請求の範囲】
【請求項１】
吸水性を有するシート材間に疎水性を有するシート状フィルムを介挿するとともに、吸水性を有するシート材に化粧料を含浸して、包装体内に密閉封止して得たことを特徴とするシートタイプ化粧品。
【請求項２】
吸水性を有するシート材間に疎水性を有するシート状フィルムを介挿して構成した多層の積層体を所定の形状に打ち抜いて化粧品ユニットを成形し、この化粧品ユニットに化粧料を含浸して、包装体内に密閉封止して得たことを特徴とするシートタイプ化粧品。
【請求項３】
前記吸水性を有するシート材として、化学合成繊維又は化学合成繊維＋天然繊維でなる不織布シートを用いた請求項１又は２に記載のシートタイプ化粧品。
【請求項４】
前記シート材として、吸水性を有する紙を用いた請求項１，２又は３に記載のシートタイプ化粧品。
【請求項５】
前記疎水性を有するシート状フィルムとして、厚みが８μｍ〜１０００μｍの範囲にあるポリプロピレンフィルム又はポリエチレンフィルムを用いた請求項１，２，３又は４に記載のシートタイプ化粧品。
【請求項６】
吸水性を有するシート材間に疎水性を有するシート状フィルムを介挿して多層の積層体を構成し、該積層体を所定の形状に打ち抜いて化粧品ユニットを成形して化粧料を含浸し、包装体内に密閉封止したことを特徴とするシートタイプ化粧品の製造方法。
【請求項７】
シートロールから繰り出された吸水性を有するシート材を長手方向に沿って二つ折りにして、シート状フィルムロールから繰り出された疎水性を有するシート状フィルムをシート材内に挟み込んで３層構造の積層体を構成し、該積層体を所定の形状に打ち抜いて化粧品ユニットを成形して化粧料を含浸し、包装体内に密閉封止したことを特徴とするシートタイプ化粧品の製造方法。
【発明の詳細な説明】
【０００１】
【発明の属する技術分野】
本発明は所定の化粧料を含浸した目もと用，フェイス用等の各種シートタイプ化粧品を構成するシート材間に、疎水性を有するシート状フィルムを介挿して積層することにより、使用者がシート材を１枚ずつ剥離する操作を容易にするとともに、介挿したシート状フィルムによって包装時の保形性と強度を高めたシートタイプ化粧品とその製造方法に関するものである。
【０００２】
【従来の技術】
従来から化粧料を含浸したシートタイプ化粧品を用いて、目もとや顔面全体の肌の手入れを行う商品が市販されており、肌への湿潤作用を得るためには、吸水性を有するシート材に化粧料を充分に含ませることが必要である。このような目もと用，フェイス用等のシートタイプ化粧品として、化粧料を含浸した不織布または紙でなる吸水性の高いシート材を包装体内に積層して密封したパック型の商品が一般に提供されている。しかし化粧料を充分に含浸したシート材の複数枚を積層すると、シート材間の密着性が高くなって利用者が１枚ずつシート材を剥離する操作が行い難くなるという問題がある。
【０００３】
そこで利用者が包装体からシート材を１枚ずつ取り出しやすくするため、一つの包装体内に化粧料を含浸したシート材を１枚だけ封入した１回分の使い切りタイプのパック型化粧品としたり、各シート材を１枚ずつ横方向又は縦方向に一定間隔ずらせて複数枚封入したパック型化粧品とする手段が用いられている。また、シートタイプ化粧品自体の強度が不足しているため、予め所定の形状に打抜かれた不織布シートでなるシート材を、同様な形状に成形されたプラスチック容器に載せて製品化する手段が用いられており、該プラスチック容器によってシート材に所望の保形性や強度を付与している。
【０００４】
【発明が解決しようとする課題】
前記したように所定の形状に打抜かれた吸水性を有するシート材を複数枚積層して化粧料を含浸させると、シート材間の密着性が高くなって該シート材を１枚ずつ剥離する操作が困難になるという課題がある。これに対処するため、一つの包装体内にシート材を１枚だけ封入する手段、もしくはシート材の複数枚を横方向又は縦方向に一定間隔だけずらせて包装体内に封入する手段もあるが、何れも１回分の使い切り化粧品としての使用形態を取らざるを得ないため、利用者の操作が煩瑣であるとともに１回分だけ使用するパック型化粧品としてのコストが高く、かつ、包装資材の無駄が多くなってしまうという難点がある。
【０００５】
そこで本発明は上記の問題点を解決して、化粧料が含浸されたシート材を使用者が１枚ずつ剥離する操作が容易であるとともに、密閉された包装体内に多数枚のシート材を封入することを可能として使用者の便ならしめ、しかもプラスチック容器等を用いることなく保形性と強度を高めたシートタイプ化粧品とその製造方法を提供することを目的とするものである。
【０００６】
【課題を解決するための手段】
本発明は上記目的を達成するために、吸水性を有するシート材間に疎水性を有するシート状フィルムを介挿するとともに、吸水性を有するシート材に化粧料を含浸して、包装体内に密閉封止して得たシートタイプ化粧品、及び吸水性を有するシート材間に疎水性を有するシート状フィルムを介挿して構成した多層の積層体を所定の形状に打ち抜いて化粧品ユニットを成形し、この化粧品ユニットに化粧料を含浸して、包装体内に密閉封止して得たシートタイプ化粧品とその製造方法を基本手段として提供する。
【０００７】
吸水性を有するシート材として、化学合成繊維又は化学合成繊維＋天然繊維でなる不織布シートを用いるか、吸水性を有する紙を用いる。また、疎水性を有するシート状フィルムとして、厚みが８μｍ〜１０００μｍの範囲にあるポリプロピレンフィルム又はポリエチレンフィルムを用いる。
【０００８】
本発明のシートタイプ化粧品の他の製造方法例として、シートロールから繰り出された吸水性を有するシート材を長手方向に沿って二つ折りにして、シート状フィルムロールから繰り出された疎水性を有するシート状フィルムをシート材内に挟み込んで３層構造の積層体を構成し、該積層体を所定の形状に打ち抜いて化粧品ユニットを成形して化粧料を含浸し、包装体内に密閉封止して製造する。
【０００９】
かかるシートタイプ化粧品によれば、利用者が包装体を開封して化粧料が含浸されたシート材の一端部を指先でつまんで引くことにより、該シート材が疎水性を有するシート状フィルムから容易に剥離して、シート材を１枚ずつ取り出して使用に供することができる。シート状フィルムはシート材を１枚ずつ取り出し可能とする機能とともに該シート材の強度を保持する機能を有している。また、包装体内に多数枚のシート材を封入することができるので、従来の１回分使い切りタイプ化粧品に比して利用者の操作が簡易化され、かつ、シートタイプ化粧品としての製造コストを下げることができる。
【００１０】
【発明の実施の形態】
以下図面に基づいて本発明にかかるシートタイプ化粧品及びその製造方法の各種実施形態を説明する。本発明では、吸水性を有するシート材間に疎水性を有するシート状フィルムを介挿するとともに、吸水性を有するシート材に化粧料を含浸して、包装体内に密閉封止して得たシートタイプ化粧品、及び吸水性を有するシート材間に疎水性を有するシート状フィルムを介挿して構成した多層の積層体を所定の形状に打ち抜いて化粧品ユニットを成形し、この化粧品ユニットに化粧料を含浸して、包装体内に密閉封止して得たシートタイプ化粧品とその製造方法を基本手段としている。
【００１１】
図１〜図４は本発明によるシートタイプ化粧品の製造方法の第１実施例を、一例として目もと用として利用するシートタイプ化粧品を製造する際の工程例として示している。図中の１，１はシート材として吸水性を有する不織布シートであり、２，２は疎水性を有するシート状フィルムである。図示例では９枚の各不織布シート１，１間に８枚のシート状フィルム２，２が各々介挿され、これら不織布シート１，１とシート状フィルム２，２との多層の積層体が構成されている。尚、上記不織布シート１として、化学合成繊維又は化学合成繊維＋天然繊維を用いることができる。更に不織布シート１に代えて吸水性を有する紙を用いてもよい。
【００１２】
具体的には、不織布シート１，１として、寸法が３９０ｍｍ×２０６ｍｍの天然繊維でなる坪量３０ｇのシート材を用いており、シート状フィルム２，２として、寸法が３９０ｍｍ×２０６ｍｍ、厚みが５０μｍのポリプロピレンフィルムもしくはポリエチレンフィルムを採用する。尚、シート状フィルム２，２の厚みは８μｍ〜１０００μｍの範囲であれば使用可能である。
【００１３】
図２は金属製の打ち抜き型３の形状例を示しており、該打ち抜き型３の寸法は４ｃｍ×８ｃｍで全面に三日月型の孔部３ａ，３ａが開口されている。図示例では孔部３ａ，３ａを計１２個設けてある。
【００１４】
図３は上記打ち抜き型３を用いて、図１に示す不織布シート１，１とシート状フィルム２，２の積層体を打ち抜くことにより得られた化粧品ユニット４を示す外観図である。目もと用化粧品の場合には、化粧品ユニット４の寸法は略１０ｍｍ〜３００ｍｍの範囲にあることが好ましい。そして図４に示すように、該化粧品ユニット４を包装体６内に入れ、化粧料５を注入してから開閉自在なシール手段を用いて密封することにより、本発明による目もと用シートタイプ化粧品が完成する。なお、化粧品ユニット４としては、不織布シート１，１の間に１枚のシート状フィルム２を介挿させた積層体を包装体６内に入れ、化粧料５を注入するようにしてもよい。
【００１５】
かかる第１実施例によれば、利用者は包装体６を開封して化粧料５が含浸された不織布シート１の一端部を指先でつまんで引くことにより、該不織布シート１が疎水性を有するシート状フィルム２から容易に剥離するため、不織布シート１を１枚ずつ取り出して使用に供することができる。シート状フィルム２は、シート材としての不織布シート１を１枚ずつ取り出し可能とする機能以外に、該不織布シート１の強度を保持する機能をも有している。使用後はシール手段により包装体６の開口部を閉止することにより、化粧料５の蒸発を防止して不織布シート１がなくなるまで繰り返し使用することができる。
【００１６】
図５〜図８は本発明の第２実施例を、同様に目もと用のシートタイプ化粧品を製造する際の工程例として示しており、図５（Ａ）に示す１１は不織布シートロール、１２はシート状フィルムロールである。不織布シートロール１１から図外の繰り出し装置によってシート材として吸水性を有する不織布シート１が順次繰り出され、シート状フィルムロール１２から疎水性を有するシート状フィルム２が順次繰り出される。
【００１７】
図５（Ｂ）に示したように、繰り出された不織布シート１は長手方向に沿う中心部分が二つ折りにされ、該不織布シート１内にシート状フィルム２が挟み込まれる。図６は図５（Ｂ）のＡ−Ａ線に沿う断面図であり、二つ折りにされた不織布シート１内にシート状フィルム２が挟み込まれた３層の積層体が構成されている。
【００１８】
第１実施例と同様に、不織布シート１として天然繊維でなる坪量３０ｇのシート材を用いており、シート状フィルム２として、ポリプロピレンフィルムを採用する。図７は金属製打ち抜き型１３の形状例を示しており、該打ち抜き型１３には三日月型の孔部１３ａが１個だけ開口されている。
【００１９】
図８は上記打ち抜き型１３を用いて、不織布シート１とシート状フィルム２の積層体を打ち抜くことにより得られた３層構造の化粧品ユニット１４を示す外観図である。この化粧品ユニット１４を前記第１実施例で用いた包装体６（図４参照）内に入れ、化粧料５を注入してから密封することにより、第２実施例にかかる目もと用シートタイプ化粧品が完成する。なお、二つ折りにされた不織布シート１内にシート状フィルム２が挟み込まれた３層の積層体を多層積層させてから所定形状に打ち抜き、化粧品ユニット１４を多層積層した状態で包装体６内に入れ、化粧料５を注入してもよいことはもとよりである。
【００２０】
かかる第２実施例によれば、１枚のシート状フィルム２の表裏両面に不織布シート１，１が添着された化粧品が得られるので、利用者は包装体を開封して化粧料が含浸された不織布シート１の一端部を指先でつまんで引くことにより、該不織布シート１が疎水性を有するシート状フィルム２から容易に剥離するため、不織布シート１を１枚ずつ取り出して合計２回の使用に供することができる。なお、化粧品ユニット１４を多層に積層した場合は第１実施例と同様に複数回にわたって使用することが可能である。シート状フィルム２は不織布シート１を１枚ずつ取り出し可能にするとともに該不織布シート１の強度を保持する機能を有している。
【００２１】
図９は本発明にかかるシートタイプ化粧品を、目もと用の化粧品に代えてフェイス用のパックタイプ化粧品１５に適用した例を示す平面図であり、このようなフェイス用のパックタイプ化粧品１５を製作する際にあっても前記第１，第２実施例で説明した製造方法をそのまま適用することができる。
【００２２】
【発明の効果】
以上詳細に説明したように、本発明にかかるシートタイプ化粧品によれば、吸水性を有するシート材間に疎水性を有するシート状フィルムを介挿して構成した多層の積層体を所定の形状に打ち抜いて化粧品ユニットを成形してあるため、シート材間の密着性が低下して該シート材を１枚ずつ剥離する操作がきわめて容易であり、利用者が包装体を開封してからシート材の一端部を軽くつまんで引くことにより、該シート材を１枚ずつ取り出して使用に供することができる。また、包装体内に多数枚のシート材を封入することにより従来の１回分使い切りタイプ化粧品に比して利用者の操作が簡易化され、シートタイプ化粧品としての製造コストは低廉となる利点がある。
【００２３】
シート材間に介挿したシート状フィルムは、シート材を１枚ずつ取り出し可能にする機能とともに該シート材の強度を保持する機能をも発揮しており、簡単な包装形態であっても従来の成型されたプラスチック容器等を用いずに充分な強度を保持させることができる。更に本発明第２実施例に記載したように、一つの包装体内にシート材を２枚だけ封入して１回分又は２回分の使い切り化粧品としての使用形態を取ることもできる。
【００２４】
従って本発明によれば、化粧料が含浸されたシート材を使用者が１枚ずつ剥離する操作を容易にし、密閉された包装体内に多数枚のシート材を封入することを可能として使用者の便ならしめるとともにシート材の保形性と強度を高めたシートタイプ化粧品とその製造方法を提供することができる。
【図面の簡単な説明】
【図１】本発明にかかるシートタイプ化粧品の製造方法の第１実施例を示す斜視図。
【図２】第１実施例で用いた打ち抜き型の形状例を示す斜視図。
【図３】第１実施例により積層した化粧品ユニット例を示す外観図。
【図４】化粧品ユニットを包装体内に封入する工程を示す概要図。
【図５】本発明の第２実施例を示す概要図。
【図６】図５（Ｂ）のＡ−Ａ線に沿う断面図。
【図７】第２実施例で用いた打ち抜き型と積層体の形状例を示す概要図。
【図８】第２実施例により積層した化粧品ユニット例を示す外観図。
【図９】本発明をフェイス用のパックタイプ化粧品に適用した例を示す平面図。
【符号の説明】
１…不織布シート
２…シート状フィルム
３，１３…打ち抜き型
４，１４…化粧品ユニット
５…化粧料
６…包装体
１１…不織布シートロール
１２…シート状フィルムロール
整理番号  Ｐ３４４４
【図１】
0003789386.tif 000002
【図２】
0003789386.tif 000003
【図３】
0003789386.tif 000004
【図４】
0003789386.tif 000005
【図５】
0003789386.tif 000006
【図６】
0003789386.tif 000007
【図７】
0003789386.tif 000008
【図８】
0003789386.tif 000009
【図９】
0003789386.tif 000010